(57)【要約】【課題】  厚い扉等を少ない跳ね上げる量で開くヒンジを提供する。【解決手段】  一端がベースプレート７２のピン７５１に軸止された第１リンク７０１と、一端が第１リンク７０１の他端に連結された第２リンク７０２と、一端が第１リンク７０１の一端と他端との間に連接される第３リンク７０３と、一端がピン７５１よりも開閉の手前外側に位置するピン７５６に軸止される一方、他端が第３リンク７０３の一端と他端との間に連接される第４リンク７０４と、扉への取付面２４と、第２リンク７０２の他端との連接部分と第３リンク７０３との連接部分とを有するブラケット７０５とを備える。【選択図】      図６
2005105523.tif 000002
【特許請求の範囲】
【請求項１】
フロントパネルが装置本体に対してヒンジを介して取り付けられたフロントパネルの開閉機構であって、
前記ヒンジは、
一端が前記装置本体の固定部の第１中心に軸止された第１部材と、
一端が前記第１部材の他端に連結された第２部材と、
一端が前記第１部材の一端と他端との間に連接される第３部材と、
一端が前記固定部のうち前記第１中心よりも開閉の手前外側に位置する第２中心に軸止される一方、他端が前記第３部材の一端と他端との間に連接される第４部材と、
前記フロントパネルへの取付面と、前記第２部材の他端との連接部分と前記第３部材の他端との連接部分とを有する第５部材と
を具備することを特徴とするフロントパネルの開閉機構。
【請求項２】
前記フロントパネルは、前記装置本体に対して跳ね上がって開くものであり、
一端が前記フロントパネルの裏面に回動自在であって、他端に至るまでに１以上の開孔部を有するステイと、
前記装置本体の前面であって前記ステイよりも下側に設けられて前記開孔部に係合するフックと
をさらに有することを特徴とする請求項１に記載のフロントパネルの開閉機構。
【請求項３】
固定部に対して扉を開閉するためのヒンジであって、
一端が前記固定部の第１中心に軸止された第１部材と、
一端が前記第１部材の他端に連結された第２部材と、
一端が前記第１部材の一端と他端との間に連接される第３部材と、
一端が前記固定部のうち前記第１中心よりも開閉の手前外側に位置する第２中心に軸止される一方、他端が前記第３部材の一端と他端との間に連接される第４部材と、
前記扉への取付面と、前記第２部材の他端との連接部分と前記第３部材の他端との連接部分とを有する第５部材と
を具備することを特徴とするヒンジ。
【発明の詳細な説明】
【技術分野】
【０００１】
本発明は、装置本体の前面に設けられたフロントパネルを開いて、当該装置のメンテンナンスなどに有効なフロントパネルの開閉機構およびヒンジに関する。
【背景技術】
【０００２】
カラオケ装置では、テンキーやボリュームなどを有するフロントパネルを、装置本体に対して開閉式にしたものが知られている。図９は、このカラオケ装置の従来構成を示す斜視図である。この図に示されるように、装置本体１０に対してフロントパネル２１が背面上端を中心に跳ね上がるようにして開く。一方、装置本体１０の前面１０ａには、保守端子やスイッチ類が設けられている。このようにフロントパネル２１を開閉する構成とした理由は、メンテナンスや調整等の度に、スピーカや電源等の配線を外したり装置本体１０を移動したりする必要性をなくするためである。
【０００３】
ところで、近年のカラオケ装置では、機能が豊富・複雑化したため、フロントパネル２１に設けられるスイッチ類も多様になり、また、フロントパネル２１に視覚的な効果を持たせるため各種の表示ディスプレイやイルミネーション装置も設けられて、フロントパネル２１を厚くする必要が生じてきた。カラオケ装置はラックなどに設置される場合が多いので、フロントパネル２１が厚くなってくると、メンテナンス等の際にフロントパネル２１を開こうとしてもラックの上棚板と干渉して、十分な作業領域を確保できない、という不都合が指摘された。
この不都合を解消するためには、フロントパネル２１を装置本体１０に対しスライドヒンジによって蝶着することによって、フロントパネル２１を手前に引き出すように開いて、ラックの上棚との干渉を避ける構成が考えられる。なお、このようなスライドヒンジとしては、例えば、開扉状態において、厚い扉を、その取付体の内側へ転移させて、間口から外側へ向けて突出することのない開扉の軌跡を実現させるもの（特許文献１参照）や、閉塞状態からを前方に引き開くに連れて、複数のリンクが次第に拡開作動するとともに、スライド支点金具がヒンジブラケットから引き出されて、扉を固定部の前端面から離反しながら開放揺動するもの（特許文献２参照）などが挙げられる。
【特許文献１】特開平８−８２１４７号公報
【特許文献２】特開平５−１３３１５４号公報
【発明の開示】
【発明が解決しようとする課題】
【０００４】
しかしながら、フロントパネルを上記スライドヒンジで開閉する構成は、次のような理由からカラオケ装置では採用しにくい面がある。すなわち、スライドヒンジを用いると、ガイドレールやスライドレールなどが必要となるために、構造が複雑化するだけでなく、取付空間を確保するために、カラオケ装置本体の大型化を招いてしまうからである。
本発明は、上述した事情に鑑みてなされたもので、その目的とするところは、ラックなどのように上下空間に余裕がない状態でもフロントパネルを十分な開度で開くことができ、かつ、ヒンジの設置に要する空間が小さくて済むフロントパネルの開閉機構、および、当該開閉機構に用いるヒンジを提供することにある。
【課題を解決するための手段】
【０００５】
上記目的を達成するために、本発明に係るフロントパネルの開閉機構は、フロントパネルが装置本体に対してヒンジを介して取り付けられ、前記ヒンジは、一端が前記装置本体の固定部の第１中心に軸止された第１部材と、一端が前記第１部材の他端に連結された第２部材と、一端が前記第１部材の一端と他端との間に連接される第３部材と、一端が前記固定部のうち前記第１中心よりも開閉の手前外側に位置する第２中心に軸止される一方、他端が前記第３部材の一端と他端との間に連接される第４部材と、前記フロントパネルへの取付面と、前記第２部材の他端との連接部分と前記第３部材の他端との連接部分とを有する第５部材とを具備することを特徴とする。本発明によれば、フロントパネルが開く際に、外側の飛び出し量が抑えられるので、上下空間に余裕がない状態でもフロントパネルを開くことができる。さらに、リンクの回動によってフロントパネルが開閉するので、ヒンジ自体の薄型化によって設置に要する空間が小さくて済む。
【０００６】
本発明に係るフロントパネルの開閉機構において、前記フロントパネルは、前記装置本体に対して跳ね上がって開くものであり、一端が前記フロントパネルの裏面に回動自在であって、他端に至るまでに１以上の開孔部を有するステイと、前記装置本体の前面であって前記ステイよりも下側に設けられて前記開孔部に係合するフックとをさらに有する構成が好ましい。この構成によれば、フロントパネルを手で開くときに、ステイがフックと係合するので、手を離してもフロントパネルが閉まることはない。
【０００７】
また、上記目的を達成するために、本発明に係るヒンジは、固定部に対して扉を開閉するためのヒンジであって、一端が前記固定部の第１中心に軸止された第１部材と、一端が前記第１部材の他端に連結された第２部材と、一端が前記第１部材の一端と他端との間に連接される第３部材と、一端が前記固定部のうち前記第１中心よりも開閉の手前外側に位置する第２中心に軸止される一方、他端が前記第３部材の一端と他端との間に連接される第４部材と、前記扉への取付面と、前記第２部材の他端との連接部分と前記第３部材の他端との連接部分とを有する第５部材とを具備することを特徴とする。
【発明の効果】
【０００８】
本発明によれば、上下空間に余裕がない状態でもフロントパネルを開くことができ、かつ、ヒンジの設置に要する空間が小さく済ませることが可能となる。
【発明を実施するための最良の形態】
【０００９】
以下、本発明の実施の形態について図面を参照して説明する。図１は、本実施形態に係るフロントパネルの開閉機構を適用したカラオケ装置の構成を示す斜視図である。
この図に示されるように、カラオケ装置１の装置本体１０の前面には、フロントパネル２０が設けられ、さらに、フロントパネル２０の右サイドには、レバー２２が設けられている。ここで、当該レバー２２を押し下げて、フロントパネル２０の下部を手前側に引くと、図２に示されるように、フロントパネル２０が跳ね上がって開く構成となっている。
【００１０】
また、装置本体１０の前面の右下部分には、マイクの入力端子１２を２つ有するブロック１４が固定されている。フロントパネル２０は、閉じたときにブロック１４と干渉しないように、その一部が切り欠かれているが、閉じたときには、図１に示されるように、あたかもブロック１４と一体であるかのように形状となる。
フロントパネル２０には、伴奏音の音量、マイク音量、エコーレベルをそれぞれ調整するためのボリューム３２、３３、３４のほか、電源ボタン３６、表示パネル３８、開閉ボタン４０などが設けられている。このうち、開閉ボタン４０は、テンキーやカーソルキーなどが配設された操作パネル４２を回転させて開状態または閉状態にさせる指示ボタンであるが、操作パネル４２は、本発明とは直接関係しないので、図１および図２では、操作パネル４２が閉じた状態で示されている。
【００１１】
図３は、カラオケ装置１におけるフロントパネル２０の開状態および閉状態を示す右側面図である。
この図に示されるように、装置本体１０は、インシュレータ１６によって底部からの振動から保護されるとともに、ある程度の高さが確保されている。フロントパネル２０は、固定部である装置本体１０に対し、本件の特徴部分であるヒンジ７０によって開閉する。ヒンジ７０は、ベースプレート７２に設けられた取付孔７４を介して、装置本体１０の内側にネジ止めされている。このため、ヒンジ７０は、実際には外観として現れない。また、ヒンジ７０におけるブラケット７０５の取付面２４は、フロントパネル２０の背面よりもやや手前側の地点まで埋設されるようにネジ止めされている。
なお、このヒンジ７０は、右側面のみならず、左側面にも設けられて、両側かからフロントパネル２０を支持している。また、このヒンジ７０の詳細については、後述する。
【００１２】
図４は、カラオケ装置１におけるフロントパネル２０の開状態および閉状態を示す左側面図である。
この図に示されるように、フロントパネル２０の裏面には、一端が軸止されたステイ２６が設けられ、さらに、スプリング２８、２９により図４において反時計回りの方向に付勢されている。ステイ２６は、図５に示されるように、断面が上側に開いたコ字状となっており、その下面２６０には、４つの開孔部２６１〜２６４がそれぞれ矩形状に設けられている。一方、図４に示されるように、装置本体１０の前面には、上側に凸状のフック１８が設けられて、その上端がステイ２６の下面２６０に接している。ここで、フック１８の幅は、開孔部２６１〜２６４の各幅、すなわち、ステイ２６の短手方向における各幅よりも狭い。
【００１３】
フロントパネル２０が閉じた状態において、ステイ２６は、自重とスプリング２８、２９による付勢とによって、その下面２６０がフック１８の上端と当接する。
この状態において、レバー２２を押し下げ、フロントパネル２０を徐々に開いていくと、ステイ２６は、図４において右側に移動する。そして、フック１８の上端が、開孔部２６１〜２６４のうち、最もフロントパネル２０寄りに位置する開孔部２６１に達すると、当該開孔部２６１にフック１８が係合するので、手を離しても、フロントパネル２０が閉じることはない。
ステイ２６を持ち上げて、フック１８と開孔部２６１との係合を解除するとともに、さらにフロントパネル２０を開いていくと、再び、ステイ２６の下面２６０がフック１８の上端と接することになる。そして、フック１８の上端が、フロントパネル２０から数えて２番目に位置する開孔部２６２に達すると、当該開孔部２６２にフック１８が係合する。以降、同様にして、フック１８は、開孔部２６３、２６４にも係合する。
【００１４】
本実施形態では、フロントパネル２０を閉じた状態から徐々に開く場合、フック１８が開孔部２６１〜２６４と順番に１つずつ係合する。そして、フロントパネル２０は、この係合によって、手を離しても急激に閉じることがないので、カラオケ装置１のメンテンナンス等において、フロントパネル２０が閉じることによって指が挟まる等の事態が未然に防止されることになる。
なお、フロントパネル２０を閉じる場合には、ステイ２６を持ち上げて、フック１８が開孔部２６１〜２６４に係合しないようにすれば良い。
【００１５】
次に、ヒンジ７０の詳細について説明する。図６（ａ）は、ヒンジ７０の閉状態を示す平面図である。なお、図示のヒンジ７０は、装置本体１０の右側に取り付けられるものであり、図３に示されるものとは対称形である。
図６（ａ）において、第１リンク７０１は、その一端がベースプレート７２に対しピン７５１によって回動自在となるようにカシメ止めされるとともに、スプリング７７２によって図において反時計回りに付勢されている。
第２リンク７０２の一端は、第１リンク７０１の他端とピン７５２によって連接される一方、第２リンク７０２の他端は、ブラケット７０５のうち、フロントパネル２０の取付面２４から略直角に折り曲げられた部分７０５ａと、ピン７５３によって連接されている。また、第２リンク７０２の一部が下側に折り曲げられて部分７０２ｂとなっている。
第３リンク７０３の一端は、第１リンク７０１の中間よりもややピン７５２に寄った地点においてピン７５４により第１リンク７０１と連接される一方、第３リンク７０３の他端は、ブラケット７０５のうち、フロントパネル２０の取付面２４から略直角に折り曲げられた部分７０５ｂと、ピン７５５によって連接されている。
【００１６】
Ｖ字形状の第４リンク７０４は、ベースプレート７２に対しピン７５６によって回動自在となるようにカシメ止めされている。ここで、ピン７５６は、ピン７５１よりも手前下側、すなわち、フロントパネル２０の開閉外側に位置する。また、第４リンク７０４のＶ字側の一端側は、第３リンク７０３の中間よりもピン７５４に寄った地点においてピン７５７により第３リンク７０３と連接される。第４リンクのＶ字側の他端側は、スプリング７７４によってベースプレート７２の突起点７８１に向けて引張されるので、第４リンク７０４は、図において時計回りに付勢される。
ここで、ヒンジ７０が閉じた状態では、ピン７５５は、ピン７５３よりも上側、すなわち、フロントパネル２０の開閉内側に位置する。また、ヒンジ７０が最も開いた状態とは、図６（ｂ）に示されるように、第２リンク７０２の折り曲げ部分７０２ｂが第３リンク７０３を抑止した状態である。
【００１７】
次に、ヒンジ７０の動作について説明する。図７は、ヒンジ７０の節であるピン７５１〜７５７の動きを示す図である。
まず、ピン７５１は、ベースプレート７２に対して固定点であるので、閉状態から開状態に移行する場合、第１リンク７０１におけるピン７５２、７５４は、ともに反時計回りの円弧を描く。第１リンク７０１は閉じた状態でほぼ５時の位置にあり、開いた状態でほぼ４時の位置にあるので、閉じた状態から第１リンク７０１のなす角度をθとしたときに、ピン７５４の上方向の移動成分は、角度θの増加に対して、ほぼ一定であると考えて差し支えない。
一方、ピン７５６もベースプレート７２に対して固定点であるので、閉状態から開状態に移行する場合、第４リンク７０４のピン７５７は時計回りの円弧を描く。ここで、ピン７５７は、閉状態において、固定点であるピン７５６よりも左側に位置する一方、開状態において、ピン７５６よりも右側に位置する。このため、ピン７５７は、閉状態から開状態に移行する場合に、円弧において１２時の位置を通過するので、ピン７５７における上下方向の移動についてのみ着目すると、上側への移動から下側への移動に転じることになる。
第３リンク７０３の回動は、ピン７５４、７５７における上下方向の移動成分の差でおおよそ決まる。ここで、角度θがゼロのとき、第４リンク７０４においてピン７５６とピン７５７とを結ぶ直線は、第１リンク７０１においてピン７５１とピン７５２とを結ぶ直線とほぼ平行であるので、ヒンジ７０の開き始めの段階において、第３リンク７０３の回動速度はほぼゼロであるとともに、ピン７５５はほぼ右水平方向に移動することになる。さらに、角度θが徐々に大きくなる場合を想定すると、第３リンク７０３は、角度θが比較的小さいときには、ゆっくりした速度で時計回りの方向に回動するが、角度θが比較的大きいときには、上方向の移動成分がおおよそ一定であるピン７５４に対して、ピン７５７が下方向の移動に転じるので、角度θが大きくなるにつれて、時計回りの回動速度が急激に高まることになる。
【００１８】
また、ピン７５３は、角度θの増加に対してほぼ等速度で図において右方向（フロントパネル２０が開く方向）に移動する。
一方、ピン７５４は、ピン７５２よりも回動中心であるピン７５１に近いので、角度θに対する右方向の移動成分は、ピン７５２よりもピン７５４の方が小さい。このため、ピン７５５は、ピン７５３よりも遅く右方向に移動する。さらに、上述したように第３リンク７０３は、角度θが大きくなるつれて時計回りの方向に急激に回動する。
したがって、ピン７５３、７５５を連接部分とするブラケット７０５は、角度θがゼロから大きくなり始める段階では、図において右方向に向かいつつ、ピン７５５を中心にゆっくりした速度で反時計回りの方向に回動するとともに、その後、徐々に下方向に送り出されるように変化し、さらに、角度θが大きくなるにつれて、その回動速度が急激に高まることになる。
よって、フロントパネル２０は、開き始めの段階では、手前側に引き出されつつ、ピン７５５を中心にゆっくり跳ね上がるとともに、その後、開度が大きくなるにつれて、その跳ね上がりが急激に高まることになる。
【００１９】
図８は、本実施形態の効果を説明するための図であり、カラオケ装置１の開閉状態を従来技術と対比して示す右側面図である。
この図における従来技術とは、フロントパネル２０の奥上端を開閉の中心としたものであるが、この従来技術では、フロントパネル２０が開いた状態では、フロントパネル２０が厚いと、図に示されるように、ラックの上棚板８２までの距離を十分に確保しないと、干渉してしまう。
これに対して、本実施形態では、ブラケット７０５が下方向に送り出されつつ、回動するので、上棚板８２と下棚板８４との間隔が狭くても、さらに、フロントパネル２０が厚くても、十分な開度で開くことができる。このため、メンテナンス等の作業性を良好に保つことが可能になる。
【００２０】
また、第１リンク７０１は、図６においてスプリング７７２により反時計回りに付勢されるとともに、第４リンク７０４は、同図においてスプリング７７４により時計回りに付勢されている。これらの付勢方向は、いずれもフロントパネル２０を開こうとする方向であるので、開くときの力を低減させる一方、フロントパネル２０が重力によって閉じようとする方向の反力となるので、仮にステイ２６を持ち上げた状態であっても急激に閉まることもない。
さらに、本実施形態によれば、開き始めの段階では、フロントパネル２０は、手前側に引き出されつつピン７５５を中心に回動するので、ブロック１４に干渉することもない。このブロック１４にはマイクの入力端子１２が設けられているので、マイクのケーブルコネクタを入力端子１２に介挿した状態でフロントパネル２０を開閉することができる。したがって、マイクを用いたメンテナンス等も容易となる。
【００２１】
なお、上述した実施形態では、ヒンジ７０をカラオケ装置１におけるフロントパネル２０の開閉機構として用いたが、家具や、建築物、車両等の扉に用いても良く。これらの扉に用いる場合において、実施形態のように跳ね上げ式ではなく、左右のいずれかに開く構成としても良いのはもちろんである。
【図面の簡単な説明】
【００２２】
【図１】本発明の実施の形態に係るフロントパネルの開閉機構を適用したカラオケ装置の構成を示す斜視図である。
【図２】同カラオケ装置においてフロントパネルを開いた状態を示す斜視図である。
【図３】同カラオケ装置の開閉状態を示す右側面図である。
【図４】同カラオケ装置の開閉状態を示す左側面図である。
【図５】同カラオケ装置におけるステイの構成を示す斜視図である。
【図６】同カラオケ装置におけるヒンジの構成を示す平面図である。
【図７】同ヒンジにおける軌跡を示す図である。
【図８】同カラオケ装置の開閉状態を従来との比較において示す図である。
【図９】従来のカラオケ装置におけるフロントパネルの開閉状態を示す図である。
【符号の説明】
【００２３】
１…カラオケ装置、１０…装置本体、１２…入力端子、１４…ブロック、１８…フック、２０…フロントパネル、２６…ステイ、２６１〜２６４…開孔部、７０…ヒンジ、７０１…第１リンク（第１部材）、７０２…第２リンク（第２部材）、７０３…第３リンク（第３部材）、７０４…第４リンク（第４部材）、７０５…ブラケット（第５部材）、７５１…ピン（第１中心）、７５２〜７５５…ピン、７５６…ピン（第２中心）、７５７…ピン。
【図１】
2005105523.tif 000003
【図２】
2005105523.tif 000004
【図３】
2005105523.tif 000005
【図４】
2005105523.tif 000006
【図５】
2005105523.tif 000007
【図６】
2005105523.tif 000008
【図７】
2005105523.tif 000009
【図８】
2005105523.tif 000010
【図９】
2005105523.tif 000011